(57)【特許請求の範囲】
【請求項１】
底板を有する方形なベース部材の四周を枠体で囲繞して器具本体を構成し、前記器具本体の内部にコンパクト蛍光灯形ランプを収納して照明装置とする照明装置の器具本体構造であって、
前記枠体は、
前記ベース部材の方形四辺の夫々に配置されて前記枠体の一辺を構成し、前記ベース部材の底板と垂直な枠板を有し、前記ベース部材の方形四辺の夫々の方向に長手な枠部材と、
隣合う前記枠部材同士を連結する連結部材と、を備え、
前記枠部材は、
前記コンパクト蛍光灯形ランプ収納側にあって前記枠板から前記ベース部材の中央部に向けて前記枠板と直交方向に形成され、隣合う前記枠部材同士で互いに当接する当接部が前記ベース部材の方形四辺の夫々の方向に対して４５°の角度で形成された縁部と、
前記枠板のうちの枠部材長手方向端部に形成され、前記枠板の板面方向と平行で且つ前記底板の板面方向と直交方向に連続し、前記枠板の板面から前記ベース部材中央部に向けて突出する断面鉤状のガイド部と、
前記縁部のうちの前記枠部材長手方向端部に形成され、隣合う前記枠部材同士で組み合わされて円筒部になるように前記縁部から前記底板方向に向けて突設された半円筒部とを備え、
前記連結部材は、
前記底板側から前記縁部側に向けて前記ガイド部の連続方向にスライドすることで隣合う前記枠部材の２つの前記ガイド部を収納するスライド部と、
前記スライド部のスライド方向端部に形成されて隣合う前記枠部材同士の半円筒部が合わさって形成される前記円筒部の外周に被嵌される被嵌円筒部とを備えた
ことを特徴とする照明装置の器具本体構造。
【請求項２】
前記ガイド部は、前記断面鉤状の先端部が前記底板側から前記縁部側に近づく従って前記枠部材の長手方向端部から遠ざかるようにして前記断面鉤状の先端部外形が次第に幅広に形成されており、
前記スライド部は、前記ガイド部が緊密に収納されるように前記ガイド部を収納する溝部の内面が前記ガイド部の断面鉤状の先端部外形に合わせた斜面に形成されている
ことを特徴とする請求項１に記載の照明装置の器具本体構造。
【請求項３】
方形なベース部材の四周を枠体で囲繞して器具本体を構成し、前記器具本体の内部にコンパクト蛍光灯形ＬＥＤランプを収納して照明装置とする照明装置の器具本体構造であって、
前記ベース部材は、
方形な底板と、
前記底板の方形四辺の夫々から立設された側板と
を備え、
前記底板に取付けられ、前記底板側に前記ベース部材の方形四辺の何れかと同方向に連通する空間が形成されたトンネル形状の反射板と、
前記底板と前記側板とに掛け渡すようにして取付けられ、前記底板及び側板側に前記反射板の空間連通方向と同方向に連通する空間が形成されたトンネル形状の側方反射板と、
前記側板のうちの前記反射板及び前記側方反射板の非接続箇所に取付けられ、前記コンパクト蛍光灯形ＬＥＤランプを接続する片側口金ソケットと、
前記側方反射板と前記側板と前記底板との間の空間に配置され、前記コンパクト蛍光灯形ＬＥＤランプ用の電源回路と、
前記反射板と前記底板との間の空間に配置され、電源配線材が接続される電源端子台とを備え、
前記側板は、
前記反射板の接続箇所に形成された反射板位置開口部と、
前記側方反射板の接続箇所に形成された側方反射板位置開口部と、
前記片側口金ソケットの取付位置に形成されたソケット位置開口部と
を備え、
前記反射板位置開口部及び前記側方反射板位置開口部を通じて前記電源端子台と前記電源回路とを接続する電源側配線材と、
前記側方反射板位置開口部及び前記ソケット位置開口部を通じて前記電源回路と前記片側口金ソケットとを接続するランプ側配線材と
を備えたことを特徴とする照明装置の器具本体構造。
【請求項４】
前記枠体は、
前記側板よりも前記ベース部材外側で前記ベース部材の方形四辺の夫々に配置されて前記枠体の一辺を構成し、前記側板と平行な枠板を有し、前記ベース部材の方形四辺の夫々の方向に長手な枠部材と、
隣合う前記枠部材同士を連結する連結部材と
を備えたことを特徴とする請求項３に記載の照明装置の器具本体構造。
【発明の詳細な説明】
【技術分野】
【０００１】
本発明は、照明装置の器具本体構造に関し、例えば天井位置に取付けられ、コンパクト形蛍光灯と同等又は類似形状のランプを収納して使用される照明装置の器具本体に好適なものである。
【背景技術】
【０００２】
例えば天井位置に取付けられて、コンパクト形蛍光灯などのランプを収納して使用される照明装置の器具本体としては、例えば下記特許文献１に記載されるものがある。この照明装置の器具本体は、反射板やランプを搭載する底板が設けられた方形のベース部材の四周を枠体で囲繞して構成される。枠体は、ベース部材の方形四辺の夫々に配置されて底板に垂直な枠板と、ランプ収納部側で枠板からベース部材の中央部に向けて垂直方向に形成された縁部とが一体に形成されている。
【先行技術文献】
【特許文献】
【０００３】
【特許文献１】実用新案登録第２５６０５６０号公報
【発明の概要】
【発明が解決しようとする課題】
【０００４】
ところで、照明に用いる発光源として発光ダイオード（以下、ＬＥＤ（Light Emitting Diode））が注目され、種々のＬＥＤを用いた発光モジュール（以下、ＬＥＤモジュールともいう）がランプとして開発されている。室内照明には、コンパクト形蛍光灯に代えてライン型のＬＥＤモジュールからなるコンパクト蛍光灯形のＬＥＤランプも開発されている。このコンパクト蛍光灯形ＬＥＤランプを収納する器具本体では、ＬＥＤモジュール用の電源回路を器具本体に設ける必要がある。即ち、ＬＥＤモジュールと蛍光灯では、電源電力の形態が異なるので、ＬＥＤモジュールからなるコンパクト蛍光灯形ＬＥＤランプを収納する器具本体は、予め電源回路を器具本体内に収納したものが実用に供しやすい。このコンパクト蛍光灯形ＬＥＤランプを収納する器具本体を新たに設計する場合、器具本体の構成部品は取り扱いやすい部品とするのが望ましい。特許文献１に記載される照明装置の器具本体では、枠体が大掛かりなので、この枠体を取り扱いやすい部品で構成したいとする要求がある。
【０００５】
本発明は、上記のような問題点に着目してなされたものであり、底板を有するベース部材の四周を枠体で囲繞してコンパクト蛍光灯形ＬＥＤランプを収納する器具本体を構成する場合に、枠体を構成する部品を取り扱いやすいものとすることが可能な照明装置の器具本体構造の提供を目的とするものである。
【課題を解決するための手段】
【０００６】
上記課題を解決するために、本発明の一態様によれば、底板を有する方形なベース部材の四周を枠体で囲繞して器具本体を構成し、器具本体の内部にコンパクト蛍光灯形ＬＥＤランプを収納して照明装置とする照明装置の器具本体構造であって、枠体は、ベース部材の方形四辺の夫々に配置されて枠体の一辺を構成し、ベース部材の底板と垂直な枠板を有し、ベース部材の方形四辺の夫々の方向に長手な枠部材と、隣合う枠部材同士を連結する連結部材と、を備え、枠部材は、コンパクト蛍光灯形ＬＥＤランプ収納側にあって枠板からベース部材の中央部に向けて枠板と直交方向に形成され、隣合う枠部材同士で互いに当接する当接部がベース部材の方形四辺の夫々の方向に対して４５°の角度で形成された縁部と、枠板のうちの枠部材長手方向端部に形成され、枠板の板面方向と平行で且つ底板の板面方向と直交方向に連続し、枠板の板面からベース部材中央部に向けて突出する断面鉤状のガイド部と、縁部のうちの枠部材長手方向端部に形成され、隣合う枠部材同士で組み合わされて円筒部になるように縁部から底板方向に向けて突設された半円筒部とを備え、連結部材は、底板側から縁部側に向けてガイド部の連続方向にスライドすることで隣合う枠部材の２つのガイド部を収納するスライド部と、スライド部のスライド方向端部に形成されて隣合う枠部材同士の半円筒部が合わさって形成される円筒部の外周に被嵌される被嵌円筒部とを備えた照明装置の器具本体構造が提供される。
【発明の効果】
【０００７】
本発明の照明装置の器具本体構造では、底板を有するベース部材の四周を枠体で囲繞してコンパクト蛍光灯形ＬＥＤランプを収納する器具本体を構成する場合に、枠体を構成する部品を取り扱いやすいものとすることができる。
【図面の簡単な説明】
【０００８】
【図１】本発明の器具本体構造が適用された照明装置の一実施形態を示す斜視図である。
【図２】図１の器具本体構造の分解斜視図である。
【図３】図１の器具本体構造におけるベース部材と枠体の組立説明図である。
【図４】図２の枠体を構成する枠部材の平面図である。
【図５】図４の枠部材の長手方向端部の斜視図である。
【図６】図１の器具本体構造における枠体の組立説明図である。
【図７】図６の枠体組立に用いられる連結部材の異なる方向からの斜視図である。
【図８】図６の枠体組立の完成平面図である。
【発明を実施するための形態】
【０００９】
以下に示す実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
以下に、本発明の照明装置の器具本体構造の一実施形態について図面を参照しながら説明する。図１には、この実施形態の照明装置の全体斜視図、図２には、図１の照明装置の器具本体の分解斜視図を示す。この実施形態の照明装置は、例えば被取付位置である天井位置に取付けられ、器具本体２内に３本のコンパクト蛍光灯形ＬＥＤランプ１を収納して使用されるものである。このコンパクト蛍光灯形ＬＥＤランプ１は、例えばＪＩＳＣ７７０９に規定されるＧＸ１０ｑのような片側口金ソケットに接続して使用されるものである。コンパクト蛍光灯形ＬＥＤランプ１は、例えば一方向に長手な本体の支持板上にライン形のＬＥＤ基板を搭載し、その上に半透明なドーム形状のカバーを被せてＬＥＤモジュールを構成し、このＬＥＤモジュールの長手方向一方の端部に片側口金ソケット対応のキャップを取付けて構成される。ＬＥＤモジュールは直流電力が必要であるから、商用電源、即ち交流電力を直流電力に変換する電源回路が必要である。この実施形態では、このＬＥＤモジュール用の電源回路を器具本体２側に配置する。
【００１０】
この実施形態の器具本体２は、コンパクト蛍光灯形ＬＥＤランプ１を収納する筐体の主要部として、器具本体２の基部となる方形のベース部材３を有し、このベース部材３の四周を枠体４で囲繞する。この実施形態では、枠体４は、器具本体２の組立工程の後半にベース部材３の四周に組立てられるので、枠体４の構成については後段に詳述する。ベース部材３は金属板で構成されており、ほぼ正方形な底板５と、この底板５の四辺から底板５と垂直に立設される側板６を有する。この実施形態では、ベース部材３の底板５は主反射板を構成するものでもあり、明色に塗装されている場合もある。このベース部材３の底板５には、電源配線材が配線される電源配線用開口部７や調光配線材８ａが配線される調光配線用開口部８、天井から垂下されたスタッドボルトを挿通するボルト用開口部９が開設されている。この実施形態の器具本体２は、天井から垂下されたスタッドボルトをボルト用開口部９に挿通し、ボルト用開口部９から突出するスタッドボルトのネジ部にナットを螺合して天井位置に取付けられる。また、側板６は、底板５の四辺延長部分を例えば図２の図示上方に折り曲げて形成される。なお、隣合う側板６同士の間には隙間が形成されており、この隙間が、後述する側方反射板１１の内部に位置する側方反射板位置開口部１３となっている。
【００１１】
このベース部材３内には３本のコンパクト蛍光灯形ＬＥＤランプ１が収納されるので、それらコンパクト蛍光灯形ＬＥＤランプ１の間には断面五角形状の反射板１０が夫々三角屋根状に底板５に取付けられる。この反射板１０は金属板製で、底板５側が開口し且つベース部材３の方形四辺の何れかの辺、図２では、図示左右の辺と同方向に連通する空間が内部に形成されている。従って、この反射板１０を底板５に取付けると、反射板１０と底板５で囲まれる空間が形成される。なお、反射板１０の長手方向端部は、内部空間の連通方向と直交する側板６、図２では、図示上下の側板６に接続される。また、反射板１０の長手方向端部が接続されているベース部材３の側板６の何れか一方、図２では図示上方の側板６に、反射板１０の内部空間に連通する反射板位置開口部１２が形成されている。従って、反射板位置開口部１２は、反射板１０の内部空間と側板６の外部とを連通している。
【００１２】
また、収納されるコンパクト蛍光灯形ＬＥＤランプ１の外側には、底板５と側板６に掛け渡すようにして側方反射板１１が底板５に取付けられる。この側方反射板１１は金属板製で、コンパクト蛍光灯形ＬＥＤランプ１側がベース部材３の外側に向けて広がる傾斜面１１ａとそれに連続して側板６と垂直、つまり底板５と平行な平面１１ｂを有する断面五角形状で、底板５側が開口し且つベース部材３の方形四辺の図２の図示左右の辺と同方向、つまり反射板１０の内部空間連通方向と同方向に連通する空間が内部に形成されている。従って、この側方反射板１１を底板５に取付けると、側方反射板１１と側板６と底板５で囲まれる空間が形成される。なお、側方反射板１１の長手方向端部も、内部空間の連通方向と直交する側板６、図２では、図示上下の側板６に接続される。従って、前述した側方反射板位置開口部１３は、側方反射板１１の内部空間と側板６の外部とを連通している。
【００１３】
反射板１０及び側方反射板１１の長手方向端部が接続されているベース部材３の側板６の何れか一方、図２では図示下方の側板６に、コンパクト蛍光灯形ＬＥＤランプ１を接続するための片側口金ソケット１５が取付けられている。この片側口金ソケット１５は、図２の図示下方の側板６のうち、反射板１０及び側方反射板１１が接続されていない部分に取付けられている。また、反射板１０と反射板１０の間、及び反射板１０と側方反射板１１の間、つまりコンパクト蛍光灯形ＬＥＤランプ１の配置位置にあって、片側口金ソケット１５の対向位置には、コンパクト蛍光灯形ＬＥＤランプ１を支持するためのランプホルダー１６が底板５に取付けられている。なお、ベース部材３の側板６のうち、片側口金ソケット１５が取付けられている側板６、即ち図２の図示下方の側板６には、片側口金ソケット１５の取付位置にソケット位置開口部１４が形成されている。
【００１４】
前述のように、この実施形態では、コンパクト蛍光灯形ＬＥＤランプ１用の電源回路１７を器具本体２に配置する。この実施形態では、電源回路（筐体）１７を比較的長くて扁平な直方体形状とし、この電源回路１７を図２の図示右側の側板６に沿わせるように配置して、電源ベース１７ａを介して底板５に取付ける。従って、前述のように側方反射板１１をベース部材３に取付けると、電源回路１７は図１の図示右側の側方反射板１１の内部空間内に配置されることになる。一方、この電源回路１７に商用電源、即ち交流電力を供給するための電源端子台１８は、図２の図示右側のランプホルダー１６と図示中央のランプホルダー１６の間で底板５に取付ける。従って、前述のように反射板１０をベース部材３に取付けると、電源端子台１８は図１の図示右側の反射板１０の内部空間内に配置されることになる。この電源端子台１８には、電源配線用開口部７を通じて図示しない天井側の電源配線材を接続する。
【００１５】
図１の図示右側の反射板１０の内部空間は、図２に示す図示右側の反射板位置開口部１２を通じて外部に連通し、更に、図２に示す図示右側上方の側方反射板位置開口部１３を通じて図１の図示右側の側方反射板１１の内部空間に連通しているので、これら反射板位置開口部１２及び側方反射板位置開口部１３を通じて電源端子台１８と電源回路１７を電源側配線材２０で接続する。同様に、図１の図示右側の側方反射板１１の内部空間は、図２に示す図示右側下方の側方反射板位置開口部１３を通じて外部に連通し、更に、図２に示すソケット位置開口部１４を通じて片側口金ソケット１５に連通しているので、これら側方反射板位置開口部１３及びソケット位置開口部１４を通じて電源回路１７と各片側口金ソケット１５をランプ側配線材２１で接続する。これにより、商用電源の交流電力は電源回路１７で直流電力に変換され、各片側口金ソケット１５を介してコンパクト蛍光灯形ＬＥＤランプ１に供給される。このように、ベース部材３に電気部品や反射板などを取付けることで器具本体２の主要部を組立てることができる。なお、図１の図示右側の反射板１０の内部空間内では、調光端子台１９も底板５に取付けられている。この調光端子台１９は、調光配線用開口部８を通じて調光配線材８ａにより電源回路１７に接続されている。この調光端子台１９は、例えばコンパクト蛍光灯形ＬＥＤランプ１による発光の明るさや色合いを調整するための無線信号を遠隔操作器、所謂リモコンから受信するものであり、受信した無線信号に応じて電源回路１７からの供給電力形態を制御することでコンパクト蛍光灯形ＬＥＤランプ１の発光の明るさや色合いが調整される。
【００１６】
これらの電気部品や反射板などがベース部材３に取付けられた状態で、ベース部材３の四周に枠体４を組立ててベース部材３の四周を枠体４で囲繞し、器具本体２を完成する。図３には、図１の器具本体２におけるベース部材３と枠体４の組立説明図を示す。この実施形態でベース部材３の四周を囲繞する枠体４は、４つの枠部材２２を連結部材２３で連結して構成される。そのため、枠体４の構成部品がコンパクトになり、取り扱いやすい。図４には、図２の枠体４を構成する枠部材２２の平面図、図５には、図４の枠部材２２の長手方向端部の斜視図、図６には、図１の器具本体構造における枠体４の組立説明図を夫々示す。なお、図４では、ベース部材３の底板５に形成されている各種の開口部（穴）を省略している。枠部材２２は樹脂製であり、ベース部材３の側板６よりもベース部材外側でベース部材３の方形四辺の夫々に配置されて枠体４の一辺を構成するものである。従って、この枠部材２２はベース部材３の方形四辺の夫々の方向に長手である。また、この枠部材２２は、ベース部材３の底板５と直交、つまり側板６と平行な枠板２４を有する。この枠板２４の長手方向と直交する方向を幅方向とすると、枠板２４の幅方向両端部からは同方向、この場合はベース部材中央部に向けて枠板２４と直交する板部材が突設されて断面コ字状となっており、その間にベース部材３の側板６の部分が差し込まれる。この突設板部材のうち、ベース部材３の底板５側の突設板部材は、底板５に枠部材２２を取付けるための固定部２５である。この固定部２５の枠部材長手方向両端部にはネジ用貫通孔２５ａが形成されており、このネジ用貫通孔２５ａに挿通されたネジを底板５に螺合し締付けることで枠部材２２をベース部材３に固定することができる。
【００１７】
一方、突設板部材のうち、固定部２５の反対側、つまりコンパクト蛍光灯形ＬＥＤランプ収納側の突設板部材は、ベース部材３の周縁部、特に側板６の突出端部を覆う縁部２６である。この縁部２６は、器具本体２の周辺部の化粧部材としても機能する。この縁部２６の枠部材長手方向端部には、隣合う枠部材２２同士で当接する当接部２７が形成されている。この当接部２７は、隣合う枠部材２２の縁部２６同士が干渉しないようにするために、縁部２６の端部をベース部材３の方形四辺の夫々の方向に対して４５°の角度で切除したような形状としている。この当接部２７は、隣合う枠部材２２同士で緊密に接合していないと見た目がよくないし、当接部２７の間から光が漏れると体裁も悪い。そこで、この当接部２７には、隣合う枠部材２２同士で互いに重合する重合部２８、２９が形成されている。この重合部は、隣合う枠部材２２のうちの一方の枠部材２２の当接部２７からベース部材３の底板５側で他方の枠部材２２の当接部２７に向けて突出する薄板状の薄板重合部２８と、その薄板重合部２８が搭載するように他方の枠部材２２の当接部２７のうち、ベース部材３の底板５側を凹陥させた凹陥重合部２９とで構成される。従って、凹陥重合部２９上に薄板重合部２８が重合すると当接部２７同士が隙間なく緊密に接合されているように見えて見た目がよく、当接部２７の間から光が漏れるのを防止して体裁がよい。
【００１８】
一方、縁部２６の当接部２７が緊密に接合した状態で枠部材２２同士を連結部材２３で連結するために、この実施形態では以下のような工夫が為されている。まず、枠部材２２の枠板２４のうちの枠部材長手方向端部には、ガイド部３０が枠板２４の板面からベース部材中央部に向けて突出するように形成されている。このガイド部３０は、断面形状が鉤状（略Ｌ字状）で、断面鉤状の先端部が枠部材長手方向内側に向くように形成され、枠板２４の板面方向と平行で且つ底板５の板面方向と直交方向に連続する。また、このガイド部３０は、隣合う枠部材２２を適正に組合せると２つのガイド部３０が接合され、断面が略Ｔ字状になる。更に、このガイド部３０は、断面鉤状の先端部がベース部材３の底板５側から枠部材２２の縁部２６側に近づく従って、枠部材長手方向端部から遠ざかるようにして断面鉤状の先端部外形が次第に幅広に形成されている。なお、前述した凹陥重合部２９が形成されているガイド部３０では、薄板重合部２８との干渉を回避するため、ガイド部３０の凹陥重合部２９側の一部が切除されている。また、縁部２６のうちの枠部材長手方向端部には、枠部材２２の縁部２６からベース部材３の底板５方向に向けて半円筒部（図では略半円筒部）３１が突設されている。この半円筒部３１は、隣合う枠部材２２同士で組合わされて円筒部（図では略円筒部）になる。
【００１９】
図７には、図６の枠体組立に用いられる連結部材２３を異なる方向から見た斜視図を示す。この連結部材２３は、隣合う枠部材２２の接合された２つのガイド部３０を収納するために略Ｔ字状の溝部３２ａが形成されたスライド部３２と、隣合う枠部材２２同士の半円筒部３１が合わさって形成される円筒部の外周に被嵌される被嵌円筒部３３とを備えている。図７の溝部３２ａの上端部にはストッパ３２ｂが突出しているため溝部３２ａの断面が略Ｔ字状に見えないが、このストッパ３２ｂの下方部分は略Ｔ字状となっている。スライド部３２は、隣合う枠部材２２の２つのガイド部３０を同時に溝部３２ａ内に差し込みながらベース部材３の底板５側から枠部材２２の縁部２６側に向けてガイド部３０の連続方向にスライドすることで隣合う枠部材２２の２つのガイド部３０を溝部３２ａ内に収納する。このスライド部３２は、ガイド部３０が緊密に収納されるようにガイド部３０を収納する溝部３２ａの内面がガイド部３０の断面鉤状の先端部外形に合わせた斜面に形成されている。また、被嵌円筒部３３は、スライド部３２のスライド方向端部に形成されている。
【００２０】
図８には、図６の枠体組立の完成平面図を示す。枠部材２２の固定部２５の枠部材長手方向端部は枠板２４と直交方向に切除されており、これにより隣合う枠部材２２同士を接合した状態で、連結部材２３をガイド部３０に嵌め込むための連結部材用開口部３４が形成される。この連結部材用開口部３４から隣合う枠部材２２の２つのガイド部３０の外側に連結部材２３のスライド部３２を嵌め込みながら連結部材２３をベース部材３の底板５側から枠部材２２の縁部２６側に向けて押し込んでスライドする。このガイド部３０へのスライド部３２の嵌め込みが終わる頃、被嵌円筒部３３が隣合う枠部材２２同士の半円筒部３１が合わさって形成される円筒部の外周に被嵌される。これにより、連結部材２３が容易に抜けることなく、隣合う枠部材２２同士が連結される。全ての枠部材２２の連結とベース部材３への固定が完了して器具本体２が完成する。
【００２１】
このように、この実施形態の照明装置の器具本体構造では、底板５を有する方形なベース部材３の四周を枠体４で囲繞して器具本体２を構成し、その器具本体２の内部にコンパクト蛍光灯形ＬＥＤランプ１を収納して照明装置とする。その場合、枠体４は、ベース部材３の方形四辺の夫々に配置されて枠体４の一辺を構成する枠部材２２同士を連結部材２３で連結して構成される。枠部材２２は、ベース部材３の底板５と垂直な枠板２４を有し且つベース部材３の方形四辺の夫々の方向に長手である。また、枠部材２２には、隣合う枠部材２２同士で互いに当接する当接部２７がベース部材３の方形四辺の夫々の方向に対して４５°の角度で形成された縁部２６がコンパクト蛍光灯形ＬＥＤランプ収納側にあって枠板２４からベース部材３の中央部に向けて枠板２４と直交方向に形成されている。また、枠部材２２には、枠板２４の板面方向と平行で且つ底板５の板面方向と直交方向に連続し且つ枠板２４の板面からベース部材中央部に向けて突出する断面鉤状のガイド部３０が枠板２４のうちの枠部材長手方向端部に形成されている。また、枠部材２２には、隣合う枠部材２２同士で組み合わされて円筒部になるように縁部２６から底板５方向に向けて突設された半円筒部３１が縁部２６のうちの枠部材長手方向端部に形成されている。また、連結部材２３には、底板５側から縁部２６側に向けてガイド部３０の連続方向にスライドすることで隣合う枠部材２２の２つのガイド部３０を収納するスライド部３２と、スライド部３２のスライド方向端部に形成されて隣合う枠部材２２同士の半円筒部３１が合わさって形成される円筒部の外周に被嵌される被嵌円筒部３３とが形成されている。そのため、分割された枠部材２２を連結部材２３によって連結することで枠体４を形成することができ、これにより部品をコンパクト化して取り扱いやすい。
【００２２】
また、ガイド部３０の断面鉤状の先端部が底板５側から縁部２６側に近づく従って枠部材長手方向端部から遠ざかるようにして断面鉤状の先端部外形を次第に幅広に形成し、ガイド部３０が緊密に収納されるようにガイド部３０を収納するスライド部３２の溝部３２ａの内面をガイド部３０の断面鉤状の先端部外形に合わせて斜面に形成した。これにより、連結部材２３が容易に抜けることなく隣合う枠部材２２同士を確実に連結することができる。
また、隣合う枠部材２２同士で互いに重合する重合部を当接部２７に形成することにより、縁部２６同士の接合部の見た目や体裁をよくすることができる。
【００２３】
また、隣合う枠部材２２のうちの一方の枠部材２２の当接部２７から底板５側で他方の枠部材２２の当接部２７に向けて突出する薄板状の薄板重合部２８と、薄板重合部２８が搭載するように他方の枠部材２２の当接部２７の底板５側を凹陥させた凹陥重合部２９とで重合部を構成する。これにより、当接部２７同士が緊密に接合されているように見えて見た目がよく、当接部２７の間から光が漏れるのを防止して体裁がよい。
なお、この実施形態では、ＬＥＤランプ用の電源回路を器具本体に配置した器具本体構造について説明したが、ＬＥＤランプ用の電源回路をコンパクト蛍光灯形ＬＥＤランプ自体に内蔵することも可能である。その場合は、器具本体構造の電源回路を省略し、商用電源が片側口金ソケットに設即されるように配線すればよい。
【００２４】
また、この実施形態の照明装置の器具本体はコンパクト形蛍光灯にも使用可能である。その場合、ＬＥＤランプ用の電源回路を蛍光灯用の安定器を設置し、配線材も蛍光灯用に配線する必要がある。
本発明がここに記載していない様々な実施の形態等を含むことは勿論である。従って、本発明の技術的範囲は上記の説明から妥当な特許請求の範囲に記載された発明特定事項によってのみ定められるものである。
【符号の説明】
【００２５】
１  コンパクト蛍光灯形ＬＥＤランプ
２  器具本体
３  ベース部材
４  枠体
５  底板
６  側板
７  電源配線用開口部
８  調光配線用開口部
９  ボルト用開口部
１０  反射板
１１  側方反射板
１２  反射板位置開口部
１３  側方反射板位置開口部
１４  ソケット位置開口部
１５  片側口金ソケット
１６  ランプホルダー
１７  電源回路
１８  電源端子台
１９  調光端子台
２０  電源側配線材
２１  ランプ側配線材
２２  枠部材
２３  連結部材
２４  枠板
２５  固定部
２６  縁部
２７  当接部
２８  薄板重合部（重合部）
２９  凹陥重合部（重合部）
３０  ガイド部
３１  半円筒部
３２  スライド部
３２ａ  溝部
３３  被嵌円筒部
３４  連結部材用開口部
【図１】
0006626670.tif 000002
【図２】
0006626670.tif 000003
【図３】
0006626670.tif 000004
【図４】
0006626670.tif 000005
【図５】
0006626670.tif 000006
【図６】
0006626670.tif 000007
【図７】
0006626670.tif 000008
【図８】
0006626670.tif 000009